(57)【要約】      （修正有）【課題】被洗浄物のゴミや汚物を吸い込み掃除をするだけでなく、洗浄液等の流体を泡立てして汚れを取り、汚水を吸収するコンパクト機構で低コストの掃除機を提供する。【解決手段】噴出口４と、該噴出口４に洗浄液を噴出する洗浄液噴出手段と、摺動部３と、該摺動部３を駆動する駆動手段と、吸引口１６と、該吸引口１６から汚れ物を吸引する吸引手段と、から構成され、前記摺動部３が前記吸引口１６に連通し、洗浄液に接して、前記駆動手段により摺動部３を駆動するとともに、前記吸引手段により吸引口１６から汚れ物を吸引する。【選択図】図２
2008036375.tif 000002
【特許請求の範囲】
【請求項１】
噴出口と、該噴出口に洗浄液を噴出する洗浄液噴出手段と、
摺動部と、該摺動部を駆動する駆動手段と、
吸引口と、該吸引口から汚れ物を吸引する吸引手段と、
から構成され、
前記摺動部が前記吸引口に連通し、洗浄液に接して、
前記駆動手段により摺動部を摺動するとともに、前記吸引手段により吸引口から汚れ物を吸引することを特徴とする掃除機。
【請求項２】
前記摺動部が洗浄液に接し摺動することにより洗浄液を発泡させ、前記吸引口から泡状の汚れ物を吸引することを特徴とする請求項１に記載の掃除機。
【請求項３】
前記摺動部は中空の構造であって、内部に連結されたファンがあり、該ファンの回転により摺動部が回転するとともに、吸引口により汚れ物を吸引することを特徴とする請求項１または２に記載の掃除機。
【請求項４】
前記洗浄液噴出手段は、タンクを装備し、ポンプ機構によりタンク内の洗浄液を前記噴出口から噴出させることを特徴とする請求項１乃至３の内いずれか１項に記載の掃除機。
【請求項５】
前記吸引口の後方に吸水材を収納した着脱式のフィルターパックを装備し、該吸引口から収集した汚れ物の水を吸収することを特徴とする請求項１乃至４の内いずれか１項に記載の掃除機。
【発明の詳細な説明】
【技術分野】
【０００１】  本発明は、掃除機に関し、特に、掃除中、ゴミや汚物の吸引はもとより掃除時に掃き掃除もできる掃除機に関している。
【背景技術】
【０００２】  一般な掃除は、電気掃除機によりモータ等の駆動手段の吸い込み力により掃除される部分のゴミや汚物を吸い込むようにして掃除をおこなっている。
これでは被掃除物の表面の掃除だけありこびり付いた汚れは取れない。
このために、雑巾等で拭き掃除等を行っているのが実状である。【０００３】  近来、吸い込み部に水を供給して被掃除部の水掃除も可能な湿乾式電気掃除機が市販されている。
このような湿乾式電気掃除機は、図５のように、吸引力を生じさせるモータ等の駆動手段１６が掃除機本体１７内部に設けられ、駆動手段１６の下方には水掃除をするための洗浄水を貯える洗浄水貯蔵タンク１８が設けられている。
また、洗浄水貯蔵タンク１８の下方には駆動手段１６の吸い込み力で吸い込まれた汚物が貯えられる汚物収集タンク１９が設けてある。
汚物収集タンク１９内部は、汚物収集タンク１９の側部に設けたホース２０を通して雑巾部材２１の付いた吸い込み部と通じ、吸い込み部２２で吸い込まれた汚物、汚水がホース２０を通じて汚物収集タンク１９に貯えられ、前記洗浄水貯蔵タンク１８に貯えられている水は水掃除作動時に洗浄水供給ダクト２３を通して、吸い込み部２２に付されている雑巾部材２１に供給されるようになっている。
（例えば、特許文献１参照）【０００４】
【特許文献１】  特開平５−２１１９５９号公報
【発明の開示】
【発明が解決しようとする課題】
【０００５】  しかし、従来例では、雑巾部材２１に水を供給して被掃除物にあてがう方式であり洗浄が不十分であり、じゅうたん等の被掃除物の奥に入り込んだ汚れは十分落とせるものではない。【０００６】  また、汚水も吸い込み部２２から吸い込むだけではじゅうたん等の被掃除物に吸収された汚水を完全に吸収できるものではない。【０００７】  また、汚水を吸い込むためにはかなりの吸引力が必要となる。
水は平面に薄く広がっているので、吸引水ポンプを使用すると水を吸引する時に空気も吸い込み効率が悪くなる。その為に真空ポンプ等を使用している例があるが、駆動手段から生じるノイズがかなりひどいために、ユーザが疲労を感じるという問題点がある。【０００８】  また、洗浄水貯蔵タンク１８、及び、汚物収集タンク１９は掃除機本体１７内に位置されているために使用中に洗浄水が無くなった時に洗浄水を容易に交換できない。
汚物収集タンク１９が一杯になった時の処理が面倒であり、掃除が大変である。【０００９】  また、全体の装置が大掛かりでコストが高くなってしまう。【００１０】  この発明は、上記課題を解決するためになされたもので、被掃除物のゴミや汚物を吸い込み掃除をするだけでなく、洗浄液等の流体を泡立てして汚れを取り、汚水を吸収するコンパクト機構で低コストの掃除機を提供することである。
【課題を解決するための手段】
【００１１】  本発明に係わる掃除機は請求項１に記載のように、
噴出口と、該噴出口に洗浄液を噴出する洗浄液噴出手段と、
摺動部と、該摺動部を駆動する駆動手段と、
吸引口と、該吸引口から汚れ物を吸引する吸引手段と、
から構成され、
前記摺動部が前記吸引口に連通し、洗浄液に接して、
前記駆動手段により摺動部を摺動するとともに、前記吸引手段により吸引口から汚れ物を吸引することを特徴とする。【００１２】  また、請求項２に記載のように、
前記摺動部が洗浄液に接し摺動することにより洗浄液を発泡させ、前記吸引口から泡状の汚れ物を吸引することを特徴とする。【００１３】  また、請求項３に記載のように、
前記摺動部は中空の構造であって、内部に駆動手段としてのファンが連結されており、該ファンの回転により摺動部が回転するとともに、物吸引手段としてのファンにより吸引口より汚れ物を吸引することを特徴とする。【００１４】  また、請求項４に記載のように、
前記洗浄液噴出手段は、タンクを装備し、ポンプ機構によりタンク内の洗浄液を前記噴出口から噴出させることを特徴とする。【００１５】  また、請求項５に記載のように、
前記吸引口の後方に吸水材を収納した着脱式のフィルターパックを装備し、該吸引口から収集した汚れ物の水を吸収することを特徴とする。
【発明の効果】
【００１６】  請求項１による発明の効果を説明する。
摺動部を被掃除物に接触させながら噴出口により流体を噴出して、摺動部の摺動により生じる汚水を収集する。
被清掃物がじゅうたん等の場合でも摺動部で擦りながら洗浄液等を注ぐので、こびり付いた頑固な汚れでも良く取れる。【００１７】  請求項２による発明の効果を説明する。
摺動部の先端が洗浄液に接し摺動することにより汚水を泡にして、吸引により泡状の汚れを収集する。
泡立て洗浄することでじゅうたん等の外面や内部のこびり付いたしつこい汚れでも良く取れる。
また、汚水が泡に変わることで空気の塊となるので、水ポンプの代わりにファン等で吸引しても回収が容易に出来る様になる。
従来の様に水を吸引するための真空ポンプ等の大規模な装置を必要としない。
じゅうたん等を擦り泡立てると内部の汚れが浮き上がりので、被掃除物に吸収された汚水を泡にして完全に吸収できる。【００１８】  請求項３による発明の効果を説明する。
摺動部は中空管で内部にファンが連結されており、ファンの回転により摺動部が回転すると共にファンの吸引力を生じさせる。
該ファンを回転させる駆動部は通常のモータであり、従来のように汚水を吸い込むために真空ポンプ等を使用しておらず、駆動手段から生じるノイズ等が少なくユーザが疲労を感じるということがない。
また、摺動部の回転とファンの回転が一つのモーターででき、コンパクトで廉価な装置になる。【００１９】  請求項４による発明の効果を説明する。
流体供給手段として着脱式のタンクを装備し、タンクを加圧または減圧して前記流出口から流体を噴出させる。
流体供給は流体の貯蔵タンク、又は圧力タンクを加圧または減圧して入出口にタンクから流体を供給する方式である。
ポンプ機構によりエアをタンク内に送給したり当該タンクのエア圧力を高めたりして、あるいは、タンクポンプ機構により加圧タンク内に流体を送給して当該加圧タンク内のエア圧を高める方式である。
流体供給手段が廉価でコンパクト機構となる。
また、着脱式のタンクであり使用中に洗浄水等が無くなった時に洗浄水を容易に交換、補給できる。【００２０】  請求項５による発明の効果を説明する。
汚水収集手段として吸水材を収納した着脱式のフィルターパックパックとし、前記摺動部の回転により生じる汚水を吸収し、交換できる。
フィルターパックであるので、空気を通しながらゴミや泡を収集できる。
また、着脱式であり吸収材等が充水した時に容易に交換できる。
【発明を実施するための最良の形態】
【００２１】  発明を実施するための最良の形態について説明する。
【実施例１】
【００２２】  図１は、掃除機１００の外観図である。
レバー５を引くと図示しない内部にポンプ機構を持った洗浄液供給部７により、容器であるタンク１からの洗浄液が噴出口４から流出する。
スウィッチ８を押すと電池ボックスの電源が入り図示しないモータにより摺動部３が回転し、内部の図示しないファンも回転する。モータとファンは摺動部３の駆動手段である。
摺動部３と図示しない連結材で結合した回転するアタッチメント２を被掃除部にあてて回転させて洗浄液を泡立てながら清掃し、泡をファン１０で吸引しフィルターパック６に収集する。
タンク１の上部端は図示しないネジがあるキャップ方式であり、着脱可能となっている。タンク１に洗浄液等が無くなった時に、タンク１を交換できる。【００２３】  図２は、掃除機１００の上部分の断面の説明図である。
躯体１４の中には、中空の摺動部３と、ファン１０と、ファン１０を駆動させるモータ１１と、モータ１１を保持する支持材１２がある。
ファン１０は摺動部３の内部の内周に接着剤等固着され連結している。
摺動部３の先端は躯体１４を貫通しており、端部はアタッチメント２が図示しないネジ等で連結している。
また、汚水を収集する汚水収集手段としてフィルターパック６を装備している。
フィルターパック６内部には吸水材１３が格納されている。
フィルターパック６は図示しないピン等で脱着式となっており、収集した泡が水溶液になり吸水材１３に吸収されて飽和状態になるとフィルターパック６を交換する。【００２４】  図３は、図２のＡ−ＡにおけるＡ−Ａ方向からの断面の説明図である。
アタッチメント２の中心には吸引口１６があり、ファン１０の回転により吸引力が発生し、吸引口１６から泡等を吸い込む。【００２５】  図４は、図２のＢ−ＢにおけるＢ−Ｂ方向からの断面の説明図である。
ファン１０はモータ１１のシャフト１５と連結されており、モータ１１は４個の支持材１２により躯体１４に保持されている。
支持材１２は、モータ１１と、シャフト１５により連結したファン１０と、ファン１０に連結した摺動部３の重量を受けることになるが、摺動部３の先端の躯体１４の貫通部も一部の重量を分担している。【００２６】  この実施例１では、
被掃除物に対しレバー５を引いて噴出口４から洗浄液を流出させる。
スウィッチ８を押すとアタッチメント２が回転し、洗浄液を泡立てさせながら被掃除物を洗浄する。
洗浄で汚れた泡はファン１０により吸引口１６から吸い込まれ、摺動部３の空洞を通り、フィルターパック６の吸水材１３に吸収される。【００２７】  なお、電源を電池ボックス９としたが、充電器やコンセントにより外部電力を利用する方式にしても良い。
また、フィルターパック６の位置はファン１０の吸い込み方向の前方にして、躯体１４をファン１０の吸い込み方向の前方の部分にて開口できるように分割する方式でも良い。
本掃除機は局部的な場所で利用される場合が多く、泡の水分量は少ないので汚水収集部の容積は躯体１４の空洞部で間に合う。
また、市販の洗浄容器では、洗浄タンクを装備し、ポンプ機構により噴出口から洗浄液を噴出するものがある。この洗浄容器に図２示すような摺動部と、該摺動部を駆動する駆動手段と、吸引口と、該吸引口から汚れ物を吸引する吸引手段とを持った装置を組み合わせて使用することもできる。
【図面の簡単な説明】
【００２８】
【図１】    本発明の実施例１における、掃除器１００の外観図である。
【図２】    掃除機１００の上部分の断面の説明図である。
【図３】    図２のＡ−ＡにおけるＡ−Ａ方向からの断面の説明図である。
【図４】    図２のＢ−ＢにおけるＢ−Ｂ方向からの断面の説明図である。
【符号の説明】
【００２９】    １        タンク
２        アタッチメント
３        摺動部
４        噴出口
５        レバー
６        フィルターパック
７        洗浄液供給部
８        スウィッチ
９        電池ボックス
１０      ファン
１１      モータ
１２      支持材
１３      吸水材
１４      躯体
１５      シャフト
１６      吸引口
【図１】
2008036375.tif 000003
【図２】
2008036375.tif 000004
【図３】
2008036375.tif 000005
【図４】
2008036375.tif 000006
【図５】
2008036375.tif 000007
【手続補正書】
【提出日】平成18年10月18日(2006.10.18)
【手続補正１】
【補正対象書類名】明細書
【補正対象項目名】００２８
【補正方法】変更
【補正の内容】
【００２８】
【図１】  本発明の実施例１における、掃除器１００の外観図である。
【図２】  掃除機１００の上部分の断面の説明図である。
【図３】  図２のＡ−ＡにおけるＡ−Ａ方向からの断面の説明図である。
【図４】  図２のＢ−ＢにおけるＢ−Ｂ方向からの断面の説明図である。
【図５】  特許文献１における湿乾式電気掃除機の外観図である。